(57)【特許請求の範囲】
【請求項１】
カードを収容するカードトレイと、互いに対向する天板部と底板部との間に前記カードトレイが挿入されるトレイ挿入部が形成されたハウジングと、前記トレイ挿入部内に突出するように前記ハウジングに保持された複数のコンタクトと、前記トレイ挿入部の奥側に回転可能に配置された押出しレバーと、該押出しレバーを操作する為の操作部材とを備え、該操作部材により一端を押し込むことにより前記押出しレバーが回転し、該押出しレバーの他端で前記カードトレイを押し出すようにしたトレイ式カードコネクタにおいて、
前記ハウジングには、前記ハウジングの天板部又は底板部より突出した軸用凸部を備え、該軸用凸部の後方に前記押出しレバーを当接させ、該押出しレバーが前記軸用凸部回りに回転するようにし、
前記カードトレイには、後縁部に回避用凹部が形成され、前記カードトレイをトレイ挿入部に挿入した際に前記軸用凸部が前記回避用凹部に回避し、前記ハウジングに占める前記軸用凸部のスペースと前記カードトレイの前記ハウジングに占めるスペースとが重複するようにしたことを特徴とするトレイ式カードコネクタ。
【請求項２】
前記回避用凹部は、前記軸用凸部の突端と前記底板部又は前記天板部との間に挿入される底部を備えた請求項１に記載のトレイ式カードコネクタ。
【請求項３】
前記押出しレバーは、一端側と他端側とが互いに所望の角度で屈曲した形状に形成され、該屈曲部が前記軸用凸部に当接するようにした請求項１又は２に記載のトレイ式カードコネクタ。
【発明の詳細な説明】
【技術分野】
【０００１】
本発明は、携帯電話機やスマートフォン等の電子機器にＩＣカードやフラッシュメモリーカード等のカードを接続するためのトレイ式のカードコネクタであって、特には押出しレバーの操作によりカードトレイを取り出し可能なトレイ式カードコネクタに関する。
【背景技術】
【０００２】
従来、この種のトレイ式カードコネクタにおいては、カードトレイが挿入されるカード挿入部の奥側に回転可能な押出しレバーを配置し、ハウジング側部に配置された操作部材を押し込み操作することで押出しレバーの一端を押し込み、それにより回転した押出しレバーの他端でカードトレイを押し出すようにした取出し機構付きのものが知られている（例えば、特許文献１を参照）。
【０００３】
押出しレバー９は、図１０に示すように、例えば、金属板をプレス加工することにより形成され、所望の位置に板厚方向に貫通した軸穴９１を備え、この軸穴９１にハウジング９２の底板部に突設された回転軸９３を挿入することにより、押出しレバー９がハウジング９２に回転可能に支持されている。尚、図中符号９４はカードトレイである。
【先行技術文献】
【特許文献】
【０００４】
【特許文献１】特開平１０−５０４０６号公報
【発明の概要】
【発明が解決しようとする課題】
【０００５】
しかしながら、上述の如き従来の技術では、押出しレバーに形成された軸穴に回転軸を挿入し、回転軸を介してハウジングに押出しレバーを回転可能に支持させる構造であるため、押出しレバーの幅は、回転軸９３の直径ｄに依存し、且つ、強度確保のために軸穴９１周りの部分に一定の幅ｔ１，ｔ２を必要とするため、ハウジング９２のトレイ挿入部奥側には、図１０に示すように、少なくともカード挿抜方向に回転軸直径ｄに上記一定幅ｔ１，ｔ２加えた分のスペースを必要とし、その分、ハウジング全長が大きくなり、トレイ式カードコネクタの小型化を阻害するという問題があった。
【０００６】
そこで、本発明は、このような従来の問題に鑑み、押出しレバーを用いたトレイ取出し機構を備えつつ、小型化可能なトレイ式カードコネクタの提供を目的としてなされたものである。
【課題を解決するための手段】
【０００７】
上述の如き従来の問題を解決し、所期の目的を達成するための請求項1に記載の発明の特徴は、カードを収容するカードトレイと、互いに対向する天板部と底板部との間に前記カードトレイが挿入されるトレイ挿入部が形成されたハウジングと、前記トレイ挿入部内に突出するように前記ハウジングに保持された複数のコンタクトと、前記トレイ挿入部の奥側に回転可能に配置された押出しレバーと、該押出しレバーを操作する為の操作部材とを備え、該操作部材により一端を押し込むことにより前記押出しレバーが回転し、該押出しレバーの他端で前記カードトレイを押し出すようにしたトレイ式カードコネクタにおいて、前記ハウジングには、前記ハウジングの天板部又は底板部より突出した軸用凸部を備え、該軸用凸部の後方に前記押出しレバーを当接させ、該押出しレバーが前記軸用凸部回りに回転するようにし、前記カードトレイには、後縁部に回避用凹部が形成され、前記カードトレイをトレイ挿入部に挿入した際に前記軸用凸部が前記回避用凹部に回避し、前記ハウジングに占める前記軸用凸部のスペースと前記カードトレイの前記ハウジングに占めるスペースとが重複するようにしたトレイ式カードコネクタにある。
【０００８】
請求項２に記載の発明の特徴は、請求項１の構成に加え、前記押出しレバーは、一端側と他端側とが互いに所望の角度で屈曲した形状に形成され、該屈曲部が前記軸用凸部に当接するようにしたことにある。
【０００９】
請求項３に記載の発明の特徴は、請求項１又は２の構成に加え、前記回避用凹部は、前記軸用凸部の突端と前記底板部又は前記天板部との間に挿入される底部を備えたことにある。
【発明の効果】
【００１０】
本発明に係るトレイ式カードコネクタは、上述したように、カードを収容するカードトレイと、互いに対向する天板部と底板部との間に前記カードトレイが挿入されるトレイ挿入部が形成されたハウジングと、前記トレイ挿入部内に突出するように前記ハウジングに保持された複数のコンタクトと、前記トレイ挿入部の奥側に回転可能に配置された押出しレバーと、該押出しレバーを操作する為の操作部材とを備え、該操作部材により一端を押し込むことにより前記押出しレバーが回転し、該押出しレバーの他端で前記カードトレイを押し出すようにしたトレイ式カードコネクタにおいて、前記ハウジングには、前記ハウジングの天板部又は底板部より突出した軸用凸部を備え、該軸用凸部の後方に前記押出しレバーを当接させ、該押出しレバーが前記軸用凸部回りに回転するようにし、前記カードトレイには、後縁部に回避用凹部が形成され、前記カードトレイをトレイ挿入部に挿入した際に前記軸用凸部が前記回避用凹部に回避し、前記ハウジングに占める前記軸用凸部のスペースと前記カードトレイの前記ハウジングに占めるスペースとが重複するようにしたことにより、回転軸とカードトレイとが互いにハウジング内に占めるスペースを共有し、且つ、押出しレバーの幅を小さくできるので、ハウジング奥部のスペースを最小限に留めることができ、コネクタの小型化を図ることができる。
【００１１】
また、本発明において、前記押出しレバーは、一端側と他端側とが互いに所望の角度で屈曲した形状に形成され、該屈曲部が前記軸用凸部に当接するようにしたことにより、押出しレバーが軸用凸部回りで好適に回転できる。
【００１２】
更に、本発明において、前記回避用凹部は、前記軸用凸部の突端と前記底板部又は前記天板部との間に挿入される底部を備えたことにより、カードトレイ前縁部の欠損を最小限に留め十分な強度を確保することができる。
【図面の簡単な説明】
【００１３】
【図１】本発明に係るトレイ式カードコネクタの一例を示す斜視図である。
【図２】同上のカードトレイを引き出した状態の分解斜視図である。
【図３】図１中のハウジングの分解斜視図である。
【図４】図３中のハウジング本体を示す平面図である。
【図５】同上のシールドカバーを示す斜視図であって、（ａ）は上面側から（ｂ）は下面側から見た図である。
【図６】図１中のカードトレイを示す平面図である。
【図７】押出しレバーの動作を説明するための図であって、カードトレイ挿入時のシールドカバーの天板部を取り除いた平面図である。
【図８】図７中のｘ−ｘ線部分拡大断面図である。
【図９】押出しレバーの動作を説明するための図であって、カードトレイ取出し時のシールドカバーの天板部を取り除いた平面図である。
【図１０】従来のトレイ式カードトレイのトレイ取出し機構を説明する為のシールドカバーを取り除いた状態の部分拡大平面図である。
【発明を実施するための形態】
【００１４】
次に、本発明に係るトレイ式カードコネクタの実施態様を図１〜図９に示した実施例に基づいて説明する。尚、図中符号１はＩＣカード等のカード、符号２はトレイ式カードコネクタである。また、本実施例においては、カードトレイ挿抜方向の手前側を前、奥側を後として説明する。
【００１５】
トレイ式カードコネクタ２は、カード１を収容するカードトレイ３と、互いに対向する天板部４３１と底板部４２１との間にカードトレイ３が挿入されるトレイ挿入部４１が形成されたハウジング４と、トレイ挿入部４１内に突出するようにハウジング４に保持された複数のコンタクト５，５...とを備え、トレイ挿入部４１にカードトレイ３を挿入することにより、カードトレイ３に収容されたカード１の表面に形成された各信号接続用パッド（図示せず）にそれぞれ対応するコンタクト５，５...が接触し、カード１とコネクタが実装される実装基板とを電気的に接続するようになっている。
【００１６】
また、このトレイ式カードコネクタ２には、ハウジング４の天板部４３１又は底板部４２１より突出した軸用凸部６と、トレイ挿入部４１の奥側に回転可能に配置された押出しレバー７と、押出しレバー７を操作する為の操作部材８とを備え、軸用凸部６回りに押出しレバー７を回転動作させることにより押出しレバー７の一端でカードトレイ３を押し出すことができるようにしたトレイ取出し機構を備えている。
【００１７】
ハウジング４は、図３に示すように、絶縁性合成樹脂製の底板部４２１を有するハウジング本体４２と、導電性金属製のシールドカバー４３とを組み付けることによりトレイ挿入部４１が前面に開口した中空箱状に形成され、前面の開口よりカードトレイ３を出し入れするようになっている。
【００１８】
ハウジング本体４２は、ハウジング４の底板部を構成する底板部４２１と、底板部４２１の両側縁部より立ち上げた形状の側壁部４２２ａ，４２２ｂと、底板部４２１の後縁より立ち上げた形状の後壁部４２３とを備え、底板部４２１、両側壁部４２２ａ，４２２ｂ及び後壁部４２３によって、上面側が凹んだ形状のトレイ挿入部４１が形成され、その上面がシールドカバー４３の天板部４３１によって覆われ、天板部４３１と底板部４２１との間にカードトレイ３が挿入されるようになっている。
【００１９】
このハウジング本体４２の底板部４２１には、導電性金属板材を打ち抜き・折り曲げ加工することにより形成された複数のコンタクト５，５...がインサート成形により組み込まれ、各コンタクト５，５...の弾性接触片部５１がトレイ挿入部４１内に突出し、弾性接触片部５１先端の接点５１１がカード１の対応するパッド部と接触するようになっている。
【００２０】
また、ハウジング本体４２には、トレイ挿入部４１奥側の一方に片寄せた配置にレバー収容部４２４を備えるとともに、一方の側壁部４２２ａの内側に棒状の操作部材８をトレイ挿抜方向でスライド移動可能に保持する操作部材保持部４２５とを備え、レバー収容部４２４に押出しレバー７が回転動作可能に収容されるとともに、操作部材保持部４２５に棒状の操作部材８が前後方向で移動可能に収容されている。
【００２１】
そして、操作部材８を押し込み方向に動作させることにより、押出しレバー７の一端が押し込まれ、それに伴い、押出しレバー７がハウジング４の天板部４３１より突出した軸用凸部６の後方に当接した状態で軸用凸部６回りに回転し、押出しレバー７の他端がカードトレイ３の後縁を抜き出し方向に押し出すようになっている。
【００２２】
押出しレバー７は、一端側の被押込み部７１と他端側の押出し部７２とが互いに所望の角度で屈曲した形状に形成されて平面視へ字状を成し、その前面側に屈曲部７３が形成され、この屈曲部７３が軸用凸部６の外周面後側に当接するようになっている。
【００２３】
この押出しレバー７は、金属製板材をプレス加工することにより一体に形成され、被押込み部７１及び押出し部７２にそれぞれ平板状の上面板７１１，７２１と上面板７１１，７２１の前側縁より垂直下向きに折り曲げた動作面板７１２，７２２を備え、上面が両上面板７１１，７２１によってへ字状を成すとともに、前面に動作面板７１２，７２２が互いに屈曲して配置されその境界部に屈曲部７３を成している。
【００２４】
そして、この押出しレバー７は、図７、図８に示すように、押出し部７２の上面板７２１が後壁部４２３上に被さり、且つ、押出し部７２の動作面板７２２裏面が後壁部４２３内面の内側に配置された状態でレバー収容部４２４に収容され、屈曲部７３が軸用凸部６の外周面後側に当接するようになっている。
【００２５】
また、押出しレバー７が回転した際には、被押込み部７１の上面板７１１が後壁部４２３に被さる位置まで移動することにより、後壁部４２３が押出しレバー７の動作を阻害しないようになっている。
【００２６】
また、押出しレバー７には、上面板を切り起こし加工することにより被案内突部７４が形成されている。
【００２７】
操作部材８は、細長棒状に形成され、前端部に外向きに折り曲げた形状の被押圧部８１が一体に形成され、平面視逆Ｌ字状を成している。
【００２８】
シールドカバー４３は、図５に示すように、導電性金属板材をプレス加工することにより一体に形成され、平板状の天板部４３１と、天板部４３１の側縁より垂直に折り曲げた形状の側板部４３２，４３２と、天板部４３１の後縁より垂直に折り曲げた後端板部４３３とを備えている。
【００２９】
天板部４３１には、後方部の前記押出しレバー７収容部と整合させた位置に下向きに突出した軸用凸部６が一体に形成され、シールドカバー４３をハウジング本体４２と組み付けることにより、軸用凸部６が押出しレバー７の手前側に挿入され、押出しレバー７の屈曲部７３が軸用凸部６の外周面に当接するようになっている。
【００３０】
軸用凸部６は、天板部４３１を構成する金属板材を絞り加工することにより天板部４３１より下向きに突出した円柱状に形成され、天板部４３１内面から突端６１面までの高さ（軸高さ）が天板部４３１と底板部４２１との間の距離、即ち、トレイ挿入部４１高さより短く形成されている。
【００３１】
また、天板部４３１には、軸用凸部６の周囲に軸用凸部６と同心円弧状の案内溝４３４が形成され、この案内溝４３４に押出しレバー７の上面に突出した被案内突部７４を案内させることにより、押出しレバー７が軸用凸部６回りの回転軌道より逸脱しないようにしている。
【００３２】
カードトレイ３は、図６に示すように、カード１が収容されるトレイ本体３１と、トレイ本体３１の前端部にフランジ状に固定された前面蓋部３２とを備えている。
【００３３】
トレイ本体３１は、絶縁性合成樹脂材により平板状に形成され、片面側よりカード１が嵌り込む板厚方向に貫通した矩形孔状のカード収容部３３を備えている。
【００３４】
カード収容部３３は、カード１の形状に整合した矩形孔状に形成され、その底側内側縁部に内向きに張り出したカード１支持部３３１，３３１を備え、このカード１支持部３３１，３３１にカード１の両側縁部を支持させることにより、信号伝達用のパッド部を底側に露出させた状態にカード１を収容できるようになっている。
【００３５】
また、トレイ本体３１には、後縁部の軸用凸部６に整合させた位置に凹み状の回避用凹部３４が形成され、カードトレイ３（トレイ本体３１）をトレイ挿入部４１に挿入した際に軸用凸部６が回避用凹部３４に回避し、ハウジング４に占める軸用凸部６のスペースとカードトレイ３のハウジング４に占めるスペースとが重複するようになっている。
【００３６】
回避用凹部３４は、軸用凸部６の突端６１とハウジング４の底板部４２１との間に挿入される底部３４１を備えた形状に形成され、回避用凹部３４を設けたことによるトレイ本体３１後縁部の欠損を最小限に抑えている。
【００３７】
前面蓋部３２は、筐体開口部に嵌り込む蓋本体３２１と、蓋本体３２１の後面に一体に突設された連結部３２２とを備え、連結部３２２をトレイ本体３１の前端部と連結することによりカードトレイ３の前端部にフランジ状に固定され、トレイ本体３１と前面蓋部３２とが一体化されている。
【００３８】
また、蓋本体３２１には、一方の側部後面に突出した凸部３２３が一体に備えられ、蓋本体３２１の前面に開口したトレイ挿抜方向に向けたピン挿通孔３２４が操作部材８の位置と連続配置となるように形成され、このピン挿通孔３２４に操作用ピン３５がトレイ挿抜方向に移動可能に収容されている。
【００３９】
このように構成されたトレイ式カードコネクタ２では、押出しレバー７を軸用凸部６に当接させ、軸用凸部６回りに回転するようにした構造としたことにより、軸穴を必要とせず、従来例の如く押出しレバーの軸穴周囲に幅を必要としないため、押出しレバー７自体の前後方向幅を小さくできる。
【００４０】
また、押出しレバー７の小型化に加え、図７、図８に示すように、カードトレイ３（トレイ本体３１）をハウジング４のトレイ挿入部４１に挿入した際、軸用凸部６が回避用凹部３４内に回避し、ハウジング４に占める軸用凸部６のスペースとカードトレイ３のハウジング４に占めるスペースとが重複するようにしたことにより、その分、ハウジング４の前後方向長さを短縮でき、コネクタ全体の小型化を図ることができる。
【００４１】
尚、カードトレイ３が誤挿入された場合、例えば、表裏逆に挿入された場合には、回避用凹部３４の位置が軸用凸部６と整合せず、トレイ本体３１の後縁が軸用凸部６と接触して最後まで挿入できないようになっている。
【００４２】
一方、カードトレイ３の引き出しは、棒状のピン材を前端開口よりピン挿通孔３２４に挿し込み、操作用ピン３５の前端を押し込み方向に押圧すると、図９に示すように、操作用ピン３５がピン挿通孔３２４内を移動し、後端側が凸部３２３の後端より突出し、操作部材８を後方に向けて押し込むにより、押出しレバー７の一端が操作部材８に押し込まれる。
【００４３】
そして、押出しレバー７は、後方に後壁部４２３が配置され、且つ、前面側の屈曲部７３が軸用凸部６に当接した状態にあるので、一端が押し込まれると、軸用凸部６回りに回転し、それに伴い押出しレバー７の端部がカードトレイ３の後端縁を押圧し、カードトレイ３を抜け出し方向に押し出すようになっている。
【００４４】
尚、上述の実施例では、回避用凹部３４に底部３４１を一体に備えた例について説明したが、底部３４１を有しない切欠き状に形成してもよい。
【００４５】
また、上述の実施例では、軸用凸部６をシールドカバー４３の天板部４３１より突出させた例について説明したが、軸用凸部６をハウジング本体４２の底板部４２１より突出させるようにしてもよい。
【００４６】
その場合、回避用凹部３４の底部３４１は、軸用凸部６の突端６１と天板部４３１との間に挿入されるように形成される。
【００４７】
尚、上述の実施例では、操作部材８と操作用ピン３５とを別々に設けた例について説明したが、操作用ピン３５を操作部材８の前端に一体に備えるようしてもよい。その場合、カードトレイ３の挿抜及び押出しレバー７の双方と連動して操作部材８が挿抜方向で移動する。
【符号の説明】
【００４８】
１  カード
２  トレイ式カードコネクタ
３  カードトレイ
３１  トレイ本体
３２  前面蓋部
３２１  蓋本体
３２２  連結部
３２３  凸部
３２４  ピン挿通孔
３３  カード収容部
３３１  カード支持部
３４  回避用凹部
３５  操作用ピン
４  ハウジング
４１  トレイ挿入部
４２  ハウジング本体
４２１  底板部
４２２  側壁部
４２３  後壁部
４２４  レバー収容部
４２５  操作部材保持部
４３  シールドカバー
４３１  天板部
４３２  側板部
４３３  後端板部
４３４  案内溝
５  コンタクト
５１  弾性接触片部
５１１  接点
６  軸用凸部
７  押出しレバー
７１  被押込み部
７２  押出し部
７３  屈曲部
７４  被案内突部
８  操作部材
８１  被押圧部
【図１】
0005967384.tif 000002
【図２】
0005967384.tif 000003
【図３】
0005967384.tif 000004
【図４】
0005967384.tif 000005
【図５】
0005967384.tif 000006
【図６】
0005967384.tif 000007
【図７】
0005967384.tif 000008
【図８】
0005967384.tif 000009
【図９】
0005967384.tif 000010
【図１０】
0005967384.tif 000011